(57)【要約】【課題】  小型でシンプルな構造によって、誰でも簡単に演奏することができ、より広い音域で、より良い音質を出すことができる打楽器を提供するものである。【解決手段】  少なくとも一つの板面を有する木製中空立体形状の打楽器において、中空立体本体１の所定の板面１１に開放音口１２を形成し、当該開放音口１２に重合して中空立体内本体１内に突出した音口筒２を着接して設ける。  そして、開放音口１２と重合する音口筒２を着接した板面１１と異なる方向の面１７に開閉自在の音口Ｂ（４）を形成する。  また、開放音口１２に対して重合離脱する音口筒２の摺動手段６、２２を設ける。【選択図】  図１
2005266732.tif 000002
【特許請求の範囲】
【請求項１】
少なくとも一つの板面を有する木製中空立体形状の打楽器において、中空立体本体の所定の面に開放音口を形成し、当該開放音口に重合して中空立体内に突出した音口筒を着接して設けたことを特徴とする木製打楽器。
【請求項２】
開放音口と重合する音口筒を着接した面と異なる方向の面に開閉自在の音口Ｂを形成した請求項１記載の木製打楽器。
【請求項３】
開放音口に対して重合離脱する音口筒の摺動手段を設けた請求項１記載または請求項２記載の木製打楽器。
【発明の詳細な説明】
【技術分野】
【０００１】  本発明は、従来この種の類似品としてある、一般に「カホン」と呼ばれる木製中空立体状の新しい打楽器に関するものである。
【背景技術】
【０００２】  「カホン」とは、木製の中空立体を手または演奏具で叩いて特定周波数の音を出す打楽器であって、この種の打楽器は一般に縦長の直方体型の中空立体本体の側面に開口を形成して、中空立体の板を叩いて振動させ、中空立体内外の空気を結合させ共振（共鳴）させる構造の公知の打楽器である。
その構造は一般に打面板は薄く、その他の面が中厚板や厚板材で構成されている。【０００３】  従来、こうした打楽器は構造が極めて簡単なため、その発生する音域も極めて限られたものであった。
従って、この種の打楽器における演奏は、より大きな音域や音質の変化をさせることができなかったので、他の楽器に較べて今少し面白さが不十分なところがあった。しかしながら、ダイナミックなリズム音は格別であり、両手による打面を叩く感触や全身の感覚で演奏できるので体感音楽として大変親しみやすく、誰でもが楽しく容易に奏することができるものは音楽愛好者の各方面から待望されていた。【０００４】  また、従来は打楽器の音の出口は、座椅子形状の中空立体の奥側や下側にあって、音楽鑑賞聴視者の方向を向いていないため、演奏音の伝わり方が悪く、演奏を充分鑑賞することができ難かった。
また、最近一部には音の出口が観客の方向に向いたものも、見られるようになったが、叩く場所が制限されるので、より幅の広い音域を発生させることは不可能であった。
【発明の開示】
【発明が解決しようとする課題】
【０００５】  本発明は、前述の背景を基になされたもので、その課題とするところは、小型でシンプルな構造によって、誰でも、手軽に、簡単に演奏することができ、より広い音域で、より良い音質を出すことができる打楽器を提供するものである。
【課題を解決する為の手段】
【０００６】  木製中空立体状の打楽器において、中空立体本体の所定の面に開放した音口を形成し、該音口に接して中空立体内側に突出した音口筒を着接して設けることである。
【０００７】  そして、音口筒を着接した面と異なる方向の面に開閉自在の音口Ｂを形成すると好ましい。
【０００８】  更に、開放音口に対して重合離脱する音口筒の摺動手段を設けると、より一層好ましい
【発明の効果】
【０００９】  本発明による打楽器によれば、音口（音の出口）を鑑賞（聴取）者側に設けたことによって、よりはっきりとした音を聞くことができる。また、開放音口に重合して中空立体内に突出した音口筒を着接して設けたことによって、音域を拡大するとともに、音質を向上することができる。これは、同等な音域であれば容積を減じて小型化することができる。
【００１０】  そして、音口筒を着接した面と異なる方向の面に開閉自在の音口Ｂを形成したことによって、音口Ｂの開閉による音色の変化と、演奏中に手による音口Ｂの開口率を変化させたり、音口Ｂを瞬間的に開閉して音質や音の迫力に変化をつけることができる。
【００１１】  更に、開放音口に対して重合離脱する音口筒の摺動手段を設けたことによって、音口筒を適宜移動させて、音質を柔らかにしたり、硬めの感じにしたり、その中間の感じにも広く変化させることができる。
【発明を実施するための最良な形態】
【００１２】  小型でシンプルな構造によって、簡単に演奏することができ、より広い音域で、より良い音質を出すことができる打楽器を開放音口から音口筒を中空立体の内部に突出させることにより実現した。
【実施例１】
【００１３】  以下、本発明による第一実施例の形態を図面に基づいて説明する。
図１（ａ）は本発明の木製打楽器の斜視図で、図１（ｂ）は図１（ａ）のＡ−Ａ断面図である。
符号１は中空立体（箱形）本体、１１は正面板、１２は音口、１３は打面板、１４は側面板、１５は背面板、１６は上面板、１７は底面板で、２は音口筒で、３は皿小ネジである。【００１４】  図１で示すように、本発明の木製打楽器は、所定の大きさの直方体状の中空立体本体１を四枚の長方形である正面板１１と隣接する側面板である打面板１３と、該打面板１３に対向する側面板１４、前記正面板１１に対向する背面板１５、および二枚の正方形である上下の上面板１６、底面板１７にて構成している。
そして、打面板１３を除く五枚の板は同厚にて、上面板１６、底面板１７と正面板１１、側面板１４、背面板１５は一側面を開放する中空立体状（箱形）に互いに接着剤にて固着されている。打面板１３は響きを良くするために厚さは他の面板の略２５％〜３０％で周囲を多数の皿小ネジ３にて固着されている。正面板１１の下側中央部に所要の面積を有する音口１２が正方形に開口形成され、該音口１２の裏側には中空立体（箱形）本体１内部に突出する正方形の角筒状の音口筒２が重合して固着されている。【００１５】  本実施例においては、中空立体（箱形）本体１は子供の椅子程の縦長直方体で、開放した音口１２は正面板１１の面積の略３．６％の正方形にて、正面板１１の中心軸、下から正面板１１長辺の略３５％の位置に開けられている。そして、開放した音口１２の裏側には開放音口１２と同じ大きさの正方形の内筒を有する奥行きが中空立体（箱形）本体１の奥行きの略３８％（正面板１１短辺の略３８％）の正方形で板厚さは正面板１１と同等の音口筒２が開放した音口１２に同一面延長的に連続して中空立体（箱形）本体１内部に突出させた状態で接着剤にて固着されている。【００１６】  前記、音口１２の形状は円形でも角形でもよく、その直径または角の一辺は正面板１１の短寸法の２３％〜４０％で、音口１２の面積は打面板１３の面積の３％〜１０％とし、音口筒２の長さ（奥行き）は中空立体本体１の奥行きの３５％〜６５％、体積は中空立体本体１の体積の１．４％〜４％とする。また、設ける場所は正・打面板に限定されない。【００１７】  そして、打面板１３の厚さはプラタナスや桐では３ｍｍ〜４ｍｍが最適である。
尚、マレット（打楽器叩き道具）を使用して演奏する（叩く）場合には、打面板１３の厚さは１５ｍｍ程度まで使用できる。【００１８】  以上のように構成されているので、音口１２を聴取（鑑賞）者側に向けて、打面板１３を手等で叩いて振動させながら、発生した音を中空立体本体１の内部で共鳴させることにより、音口筒２を通過し、増幅されて開放した音口１２から外に放出される。
従って、本発明の打楽器においては演奏音が直接聴取者に伝わり、演奏環境を気にしたり、演奏者の向きや配置を改善する必要がなくなり、音色に重厚な低音域も加わり、幅広い音域と、奥深い音質を生み出すことができるものである。（表１参照）
また、打面板１３は多数の皿小ネジ８にて取付けられているので、長い間叩かれ（演奏され）て変形や摩耗した場合には新品の打面板１３に交換することができる。【００１９】  一般に従来のこの種の打楽器は中空立体の内容積が大きいほど低音が発生するものであるが、本発明による打楽器は中空立体本体１内部に突出する音口筒２によって、共鳴周波数が変化させるように作用するために、低音部が増幅されるので，小さな容積であっても低音まで幅広い音域を発生することができるものである。【００２０】  また、発明品には形の異なる平型と言われる広い上画板を打画板として深さの浅くて容積が大きいものもある。上記の音口および音口筒は上下面でも側面でもかまわない。この平型打楽器は使用者の腹の前に抱えたり、膝や台の上に置いて演奏するもので、打面が中央部から周辺部にかけて広い面積となるので、より一層、音域の変化も大きくなる。
【実験測定結果】
【００２１】
【表１】
2005266732.tif 000003
【００２２】  上記の表１に示したように、この種の打楽器の内容積と発生する音の関係は、一般に内容積を大きくすると低い音が得られ、反対に容積を小さくすると高めの音になる。そして打楽器の音口と発生する音の関係は、音口の面積を大きくすると音色は単純で明るい音が得られ、反対に面積を小さくすると音色は鈍い低めの音になる。また、同等な容積であれば、表に示す発明品のように音口を小さめにして、そこに接して中空立体の内側に突出させた音口筒を設けた場合には、低音が、より幅広い音域となって、音質も柔らかさを帯びた音になる。こうした考えで表に示す発明品小型では音口を設けたことによって、容積は従来品の約五分の一であっても、低音は大体同じ位の発生音でも高音は音域が約二倍にもなり、著しく音域が拡大したことになる。
故に、同程度の大きさ（容積）の打楽器を比較すると、本発明品は１オクターブも差がある低音が出せるので、膝の上や手に持てる小さくて演奏のしやすい打楽器となり、しかも小型と中型の打楽器だけで幅広い音域の演奏音が出せて楽しめると言う優れたものである。
【実施例２】
【００２３】  以下、本発明による第二実施例の形態を図面に基づいて説明する。
図２（ａ）は本発明の木製打楽器の斜視図で、図２（ｂ）は図２（ａ）のＢ−Ｂ断面図である。符号は第一実施例と共通する部分は全て同じである。
図２で示すように、概略は第一実施例と同様であるが、開放した音口１２と重合する音口筒２を着接した板である正面板１１と垂直をなす方向の底面板１７に開閉自在の音口Ｂ（４）を形成したものである。
音口Ｂ（４）は開放音口１２と同等の面積を有する円形であって、底面板１７の中心軸．正面板１１と接する辺縁から底面板１７の一辺の略３０％の位置に円形にくり貫いて開けられている。そして、くり貫かれた円板を音口蓋４１として利用する。該音口蓋４１には中心に握持紐４２が両端を玉結びにして取付けてある。また、底面を下にして置いた場合握持紐４２の玉により不安定となるので、玉の大きさを超える厚さの台座５を底面の四隅に取付けてある。
従って、握持紐４２を持って音口蓋４１の着脱をすることで、音口Ｂ（４）は必要に応じて開閉自在となる。【００２４】  尚、音口Ｂ（４）は円形に限定されるものではなく同等の面積を有すればよい。また、形成する場所や位置も、音口筒２を着接した板である正面板１１に垂直をなす方向の底面板１７に限定されるものではなく、音口１２に対向して空気が直接吹き抜ける範囲の位置を除く、音口１２を設けた面以外の面であればよい。
従って、音口１２を最も形成しやすく、また、中空立体本体１の形状に応じて適宜異なる場所や位置に設定することができる。【００２５】  この場合、開閉自在の音口Ｂ（４）を形成したことによって、音口蓋４１を閉じたまま叩くと重厚な音が発生され、音口Ｂ（４）を開放した状態で叩くと明るい音が発生されるので、同一の打楽器にて自在に演奏が区別することができる。また、音口蓋４１を開放したまま手で音口Ｂ（４）を覆いつつ、音口Ｂ（４）の開閉率を変化させることによって、口の開閉率に応じた変化に富んだ音色の音を発生させることができる。
【実施例３】
【００２６】  以下、本発明による第二実施例の形態を図面に基づいて説明する。
図３（ａ）は本発明の木製打楽器の斜視図で、図３（ｂ）は図３（ａ）のＣ−Ｃ断面図である。また、図４は中空立体の内側から摺動する音口筒周辺を音口筒を下げた状態での図３のＸ矢視した斜視図で、図５は摺動する部分の図４のＤ−Ｄ拡大断面図である。
符号は第一実施例と共通する部分は全て同じである。
図３で示すように、開放した音口１２に対して重合離脱する音口筒２の摺動手段を設けたものである。
この摺動手段としては図４および図５で示すように、正面板１１の裏側に音口筒２が開放した音口１２に対して重合する位置から摺接する状態で下方に移動できるような平行した角Ｕ文字形のスライド溝２２を音口筒２の左右、且つ摺接する端面から所定の距離を隔てた位置に設け、該平行のスライド溝２２にはまってスライドして開放音口１２の下辺まで移動できる長さのＬ文字形の側辺を有するスライドレール６を開放音口１２の両側に皿小ネジ３で締め付け固定する。該皿小ネジ３の締め付け力を調節することによって摺動させる硬さを調節することができる。
そして、音口筒２を正面板１１の表側から移動させるために、音口筒２の上面板は開放音口１２を貫通して更に外壁面に突出する円弧状の移動つまみ２１を平面一体的に設けてある。この移動つまみ２１を上下させて音口筒２の位置を変えることができる。
同時に開放音口１２の上下の辺に当接したときには、その位置での完全重合または完全離脱状態のストッパーにもなる。従って、音口筒２の位置の状態を気にすることがなく、容易に操作することができる。【００２７】  音口筒２を摺動させる手段を設けたことによって、開放した音口１２と音口筒２を完全重合させた位置における音質を柔らかにしたり、反面完全離脱の位置における音質を硬めの感じにしたり、中間の位置では中間の感じにもなり、広く変化させることができる。
従って、曲に合わせて自由に音色を選択することができるものである。
【実施例４】
【００２８】  その他の実施の形態として図６に示すように、中空立体本体１の別形として、平たい円柱の上面の打面板１３に開放した音口１２および音口１２の内側に接して中空立体本体１の中に突出させて音口筒２を設けたものも、前述したものと同様な効果が有る。
従って、これに音口Ｂ（４）を設けたり、音口筒２の摺動手段を設けることも同様に考えられる。更に、このように中空立体本体１を円柱にしたことによって、より一層太鼓的な響きを発生するとともに、デザイン的にも面白い打楽器としても応用に好ましい。【００２９】  尚、本発明の応用として、打面の裏側に竹ヒゴを各二本適宜間隔をあけて並列に四本設けることによって、変化のあるビビリ音を発生させることも考えられる。
【図面の簡単な説明】
【００３０】
【図１】  本発明の打楽器の実施例１を示す斜視図とその断面図である。
【図２】  本発明の打楽器の実施例２を示す斜視図とその断面図である。
【図３】  本発明の打楽器の実施例３を示す斜視図とその断面図である。
【図４】  図３のＸ矢視の斜視図である。
【図５】  図４のＤ−Ｄ拡大断面図である。
【図６】  本発明の打楽器の実施例４を示す斜視図である。
【符号の説明】
【００３１】  １  中空立体本体
１１  正面板
１２  音口
１３  打面板
１４  側面板
１５  背面板
１６  上面板
１７  底面板
２  音口筒
２１  移動つまみ
２２  スライド溝
３  皿小ネジ
４  音口Ｂ
４１  音口蓋
４２  握持紐
５  台座
６  スライドレール
７  固着ネジ
【図１】
2005266732.tif 000004
【図２】
2005266732.tif 000005
【図３】
2005266732.tif 000006
【図４】
2005266732.tif 000007
【図５】
2005266732.tif 000008
【図６】
2005266732.tif 000009